(57)【要約】観測者にしるしを選択的に可視化するためのシステムは、受容面及び視認面を有する切替ウィンドウを備える。この受容面は、情報内容のようなしるしを取外し可能に保持するように構築されるしるしホルダと光通信するように配置される。作動中に、切替ウィンドウは、実質的に不透明な状態から実質的に透過的な状態に切替わって、この視認面を介して観測者にこのしるしを可視化または別の様態で表示する。【選択図】図１
2015522182.tif 000002
【特許請求の範囲】
【請求項１】
しるしを観測者に選択的に可視化するシステムにおいて、
切替ウィンドウを有する筐体であって、前記切替ウィンドウが実質的に対向する受容面及び視認面を持ち、前記ウィンドウが少なくとも部分的に透過的な状態と少なくとも部分的に不透明な状態との間で切替わるように構築される、筐体と、
前記切替ウィンドウに接続した制御装置であって、既定の時間間隔を記憶するように適合された、制御装置と、
前記筐体により担持され、前記受容面と光学的に整合するように、しるしを支持するように構築される、しるしホルダと、
を備え、
前記制御装置が、前記少なくとも部分的に不透明な状態と前記少なくとも部分的に透過的な状態との間で、前記既定の時間間隔で周期的に切替わるように前記切替ウィンドウを制御して、前記しるしが前記受容面を通して前記視認面を経て周期的に視認可能になることを可能にする、システム。
【請求項２】
前記しるしホルダが、前記しるしをその上に支持する隆起を含む、請求項１に記載のシステム。
【請求項３】
前記切替ウィンドウが、高分子分散型液晶（ＰＤＬＣ）材料、懸濁粒子装置（ＳＰＤ）材料及びエレクトロクロミック材料からなる群から選択される材料から形成される、請求項１に記載のシステム。
【請求項４】
前記しるしホルダ、前記制御装置及び前記切替ウィンドウが、少なくとも部分的に筐体により保持される、請求項１に記載のシステム。
【請求項５】
前記筐体により担持される分注ユニットであって、アクチュエータを含む、分注ユニットと、
前記分注ユニットと動作可能に連通する少なくとも１つの分注品目を担持するように適合された再補充ユニットと、
を更に備え、
前記アクチュエータの前記作動の結果、前記分注ユニットからの前記少なくとも１つの分注品目の分注がもたらされる、請求項４に記載のシステム。
【請求項６】
前記筐体が、前記しるしホルダと動作可能に連通して、ここから前記しるしの除去及び受容を可能にするアクセスポートを含む、請求項４に記載のシステム。
【請求項７】
前記制御装置に接続した光源を更に備え、前記光源が前記しるしを照明する光を生成する、請求項１に記載のシステム。
【請求項８】
前記時間間隔が、前記少なくとも部分的に不透明な状態と関連する第１の時間間隔及び前記少なくとも部分的に透過的な状態と関連する第２の時間間隔を含み、前記第１及び第２の時間間隔の持続時間が異なる、請求項１に記載のシステム。
【請求項９】
少なくとも１つの分注品目を担持する再補充ユニットから材料を分注するシステムにおいて、
切替ウィンドウを持つ筐体であって、前記切替ウィンドウが実質的に対向する受容面及び視認面を持ち、前記ウィンドウが少なくとも部分的に透過的な状態と少なくとも部分的に不透明な状態との間で切替わるように構築される、筐体と、
前記切替ウィンドウ及び前記分注ユニットに接続した制御装置であって、前記分注ユニットと関連する少なくとも１つの操作パラメータを検出する、制御装置と、
前記筐体により担持され、前記再補充ユニットに流体的に接続するように適合する分注ユニットであって、前記分注ユニットの前記作動で、前記少なくとも１つの分注品目を分注する、分注ユニットと、
前記筐体により担持され、前記受容面と光学的に整合するようにしるしを支持するように構築されるしるしホルダと、
を備え、
前記操作パラメータが既定の判定基準に適合すると、前記切替ウィンドウが前記少なくとも部分的に不透明な状態から前記少なくとも部分的に透過的な状態に切替わって、前記受容面を通して前記視認面を経て前記しるしを視認可能にさせる、システム。
【請求項１０】
前記しるしホルダが、前記しるしをその上に支持する隆起を含む、請求項９に記載のシステム。
【請求項１１】
前記切替ウィンドウが、高分子分散型液晶（ＰＤＬＣ）材料、懸濁粒子装置（ＳＰＤ）材料及びエレクトロクロミック材料でなる群から選択される材料から形成される、請求項９に記載のシステム。
【請求項１２】
前記筐体が、前記しるしホルダと動作可能に連通して、ここから前記しるしの除去及び受容を可能にするアクセスポートを含む、請求項９に記載のシステム。
【請求項１３】
前記制御装置に接続した光源を更に備え、前記光源が前記しるしを照明する光を生成する、請求項９に記載のシステム。
【請求項１４】
観測者にしるしを選択的に可視化するシステムにおいて、
切替ウィンドウを持つ筐体であって、前記切替ウィンドウが実質的に対向する受容面と視認面を持ち、前記ウィンドウが少なくとも部分的に透過的な状態と少なくとも部分的に不透明な状態との間で切替わるように構築される、筐体と、
前記切替ウィンドウに接続した制御装置と、
前記制御装置に接続し、入力を検出するセンサと、
前記筐体により担持され、前記受容面と光学的に整合するためにしるしを支持するように構築されるしるしホルダと、
を備え、
前記センサによる前記入力の前記検出で、前記切替ウィンドウが前記少なくとも部分的に不透明な状態から前記少なくとも部分的に透過的な状態に切替わって、前記受容面を通して前記視認面を経て前記しるしを視認可能にさせる、システム。
【請求項１５】
前記しるしホルダが、前記しるしをその上に支持する隆起を含む、請求項１４に記載のシステム。
【請求項１６】
前記切替ウィンドウが、高分子分散型液晶（ＰＤＬＣ）材料、懸濁粒子装置（ＳＰＤ）材料及びエレクトロクロミック材料でなる群から選択される材料から形成される、請求項１４に記載のシステム。
【請求項１７】
前記しるしホルダ、前記制御装置及び前記切替ウィンドウが、少なくとも部分的に筐体により保持される、請求項１４に記載のシステム。
【請求項１８】
前記筐体により担持される分注ユニットであって、アクチュエータを含む、分注ユニットと、
前記分注ユニットと動作可能に連通して、少なくとも１つの分注品目を搬送するように適合する再補充ユニットと、
を更に備え、
前記アクチュエータの前記作動の結果、前記分注ユニットから前記少なくとも１つの分注品目の分注がもたらされる、請求項１７に記載のシステム。
【請求項１９】
前記筐体が、前記しるしホルダと動作可能に連通して、ここから前記しるしの除去及び受容を可能にするアクセスポートを含む、請求項１７に記載のシステム。
【請求項２０】
前記制御装置に接続した光源を更に備え、前記光源が前記しるしを照明する光を生成する、請求項１４に記載のシステム。
【発明の詳細な説明】
【技術分野】
【０００１】
一般的に、本発明は、取外し可能なしるしを選択的に可視化するシステムに関する。特に、本発明は、取外し可能なしるしを選択的に可視化する切替液晶（ＬＣ）ウィンドウに関する。特に、本発明は、ディスペンサ、電気器具又は他の装置と共に取外し可能なしるしを選択的に可視化するように構築される切替液晶（ＬＣ）ウィンドウに関する。
【背景技術】
【０００２】
広告、表示装置、及び他の情報の標識又は内容は、ある程度、我々の環境内に遍在するようになり、その結果、時間を経て、人々はそこから送られる情報又はメッセージを遮断又は別の様態で無視することが巧みになっている。個人の注意を惹きつけようとする試みにおけるこの障壁を克服するために、広告キャンペーンが入念に設計され、強制的な様式で情報を提示し、目標とする個人の興味及び感覚にアピールする種々の技法を駆使する。従ってかなりの程度、潜在的な顧客にそのメッセージを通信する特定の広報又はマーケティング努力の成功は、選択される媒体に大いに依存する。しかし、顧客の興味を獲得するのに必要な必須のアピールを持つマーケティングキャンペーンを開発及び製作する費用及び経費は著しい。更に、動く動態イメージ又は内容を使用して、目標とする個人の注意を惹きつける広報キャンペーンは、このような概念を実装するために多大な量の生産努力を必要とするため、費用がかかる。
【０００３】
動的情報内容を製作する費用に加えて、この内容を提示する平坦スクリーン表示装置などの表示ユニットの費用は、このような表示装置の動作と関連する費用と同様に、著しい経費であり、従って、このような表示装置を最終的に設置する位置の合計数を制限することになる。更に、このような表示装置に提示する動的内容を継続的に更新することは、費用及び時間がかかる。従って、動的情報内容を描出可能な表示装置の設置及び維持に関連する著しい費用がかかる。逆に、ポスター、広告掲示板、及び雑誌に具現される印刷内容などの静的又は固定の情報内容は、製作が動的内容よりはるかに安価であるが、一般的に、目標とする個人の興味及び注意を引くにはあまり効果的ではない。
【発明の概要】
【発明が解決しようとする課題】
【０００４】
故に、実質的に不透明な状態と実質的に透過的な状態との間で切替わって個人の注意を捕える切替ウィンドウを介して静的印刷画像などのしるしを選択的に可視化する低費用、低電力システムが必要である。更に、所望に応じて取外し可能に置き換え可能なしるしに関連して切替わるウィンドウを使用する、しるしを選択的に可視化するためのシステムが必要である。更に、ディスペンサ又は他の適切な構造と関連して切替わるウィンドウを使用する、しるしを選択的に可視化するためのシステムが必要である。
【課題を解決するための手段】
【０００５】
前述に照らして、本発明の第１の態様は、しるしを選択的に可視化するシステムを提供することである。
【０００６】
本発明の別の態様は、観測者にしるしを選択的に可視化するシステムを提供することであり、切替ウィンドウを有する筐体を含み、前記切替ウィンドウが実質的に対向する受容面と視認面を有し、前記ウィンドウが少なくとも部分的に透過的な状態と少なくとも部分的に不透明な状態との間で切替わるように構築され、制御装置が前記切替ウィンドウに接続され、前記制御装置が既定の時間間隔を記憶するように適合し、しるしホルダが前記筐体により担持され、前記受容面と光学的に整合するためにしるしを支持するように構築され、前記制御装置が前記切替ウィンドウを制御して、前記少なくとも部分的に不透明な状態と前記少なくとも部分的に透過的な状態との間で前記既定の時間間隔で周期的に切替わって、前記受容面を通して前記視認面を経てこのしるしを周期的に視認可能にさせる。
【０００７】
本発明のさらに別の態様は、少なくとも１つの分注品目を担持する再補充ユニットから材料を分注するシステムを提供することであり、切替ウィンドウを有する筐体を含み、前記切替ウィンドウが実質的に対向する受容面と視認面を持ち、前記ウィンドウが少なくとも部分的に透過的な状態と少なくとも部分的に不透明な状態との間で切替わるように構築され、制御装置が前記切替ウィンドウと前記分注ユニットに接続され、前記制御装置が前記分注ユニットと関連する少なくとも１つの操作パラメータを検出し、分注ユニットが前記筐体により担持され、再補充ユニットに流動的に接続されるように適合し、前記分注ユニットのこの作動により、少なくとも１つの分注品目が分注され、しるしホルダが前記筐体により担持され、しるしを支持して、前記受容面と光学的に整合するように構築され、前記操作パラメータが既定の判定基準に適合すると、前記切替ウィンドウが前記少なくとも部分的に不透明な状態から前記少なくとも部分的に透過的な状態に切替わって、前記受容面を通して前記視認面を経てしるしを視認可能にさせる。
【０００８】
本発明のさらにまた別の態様は、観測者にしるしを選択的に可視化するシステムを提供することであり、切替ウィンドウを有する筐体を含み、前記切替ウィンドウが実質的に対向する受容面と視認面を有し、前記ウィンドウが少なくとも部分的に透過的な状態と少なくとも部分的に不透明な状態との間で切替わるように構築され、制御装置が前記切替ウィンドウに接続され、前記制御装置に接続したセンサが入力を検出し、しるしホルダが前記筐体により担持され、前記受容面と光学的に整合してしるしを支持するように構築され、前記センサによりこの入力を検出すると、前記切替ウィンドウが前記少なくとも部分的に不透明な状態から前記少なくとも部分的に透過的な状態に切替わって、前記受容面を通して前記視認面を経てこのしるしを視認可能にさせる。
【図面の簡単な説明】
【０００９】
【図１】本発明の概念に従ってしるしを選択的に可視化するシステムのブロック図である。
【図１Ａ】本発明の概念に従って光源を利用しないで、しるしを選択的に可視化するシステムのブロック図である。
【図２】本発明の概念に従ってディスペンサの使用用に構築される場合に、しるしを選択的に可視化するシステムのブロック図である。
【図３Ａ】本発明の概念に従って、流体ディスペンサとして具現することで切替ウィンドウが実質的に不透明になる結果、その後に配列されるしるしを覆い隠すように、しるしを選択的に可視化するシステムの正面図である。
【図３Ｂ】本発明の概念に従って図３Ａに示すように、しるしを選択的に可視化するシステムの側面図である。
【図３Ｃ】本発明の概念に従って流体ディスペンサとして具現することで、切替ウィンドウを実質的に透過的にし、このしるしをそこを通して表示させるように、しるしを選択的に可視化するシステムの正面図である。
【図４】本発明の概念に従ってタオルディスペンサとして具現した場合に、しるしを選択的に可視化するシステムの斜視図である。
【図５】本発明の概念に従って小便器と共に独立型の装置として利用する場合に、しるしを選択的に可視化するシステムの斜視図である。
【図６】本発明の概念に従って噴霧器と共に利用する場合に、しるしを選択的に可視化するシステムの斜視図である。
【図７】本発明の概念に従って蛇口などの遠隔配置のハンドフリーアクチュエータを提供する独立型の装置として構築する場合に、しるしを選択的に可視化するシステムの斜視図である。
【図８】本発明の概念に従ってディスペンサに統合されるタイマを使用するしるしを選択的に可視化する代替のシステムのブロック図である。
【発明を実施するための形態】
【００１０】
これらと他の特徴及び本発明の利点は、続く記述、添付された特許請求の範囲と添付図面に関連して、より良く理解されよう。
【００１１】
しるしを選択的に可視化するシステムは、一般的に、図１〜２で示すように数字１０で記載する。特に、このシステム１０は、実質的に又は少なくとも部分的に不透明な状態から実質的に又は少なくとも部分的に透過的な状態に選択的に切替わるように構築される高分子分散型液晶ウィンドウなどの切替ウィンドウ２０を含む。こうして、以下の考察で使用される用語「不透明な状態」と「透過的な状態」の使用は、実質的に又は少なくとも部分的に不透明及び実質的に又は少なくとも部分的に透過的である不透明な状態と透過的な状態と考えられる。続いて、この切替ウィンドウ２０がこのシステム１０により維持される。その結果、これは、観測者５０の見通し範囲又は視野からしるしホルダ４０を分離する。従って、このしるしホルダ４０は、印刷広告又は他の情報内容などのしるし６０を取外し可能に保持するように構築される。続く考察の目的のために、この用語「しるし」は、あらゆる情報、通信、広告、画像、メッセージ等として定義される。例えば、しるし６０は、紙の部分に印刷された文字を含み得る。こうして、このシステム１０の作動中に、観測者５０は、このウィンドウ２０が不透明な状態から透過的な状態に切替えると、このしるし６０を視認することができる。不透明な状態と透過的な状態との間の切替は、スイッチの作動又は人又は人の手の存在を検出するように構築される近接検知器を経ることを含む、種々の刺激からの入力などの種々の判定基準に従って制御される。従って、このシステム１０は、観測者５０の注意を捕捉する方法で、しるし６０によりメッセージ又は情報内容を搬送させ、こうして、このしるし６０から提供される情報内容の効果を増強する。更に、しるしホルダ４０により、ユーザがこのしるし６０を素早く、直ぐに変更できる。その結果、搬送される情報内容を高速で単純な方法で更新できる。切替ウィンドウ２０により提供される実質的に透過的な状態、部分的に透過的な状態、部分的に不透明な状態と実質的に不透明な状態との間に連続体が存在すると理解される一方、当然のことながら、一般的に、観測者５０は、切替ウィンドウが不透明な状態の時より、切替ウィンドウ２０が透過的な状態時にこのしるし６０を明瞭に視認することができる。
【００１２】
特に、このシステム１０は、これらに限らず、ディスペンサ、固定治具又は電気器具を含む任意の所望の構造と統合又は別の様態で連携するように構築される筐体７０により担持されるか、又は別の様態で配置される。例えば、この筐体７０は、石鹸ディスペンサ、タオルディスペンサ、噴霧器、便器又は小便器と統合するように形成される。代替方法として、当然のことながら、この筐体７０は、任意の所望の位置でマウントされる独立の装置として形成される。続いて、この筐体７０は、どの適切な汎用でも又は考察の機能の実行に適切な特定用途向けの計算装置を含む制御装置１００を保持する。一態様では、この制御装置１００は、このシステム１０の作動を促進する不揮発性メモリ、揮発性メモリ又はこれら組合せを保持する。更に、当然のことながら、この筐体７０は、例えば、プラスチック、鋼又はアルミニウムなどの任意の適切な材料、適切な規模又は形で形成される。
【００１３】
この切替ウィンドウ２０は、この制御装置１００に電気的に接続され、実質的に透過的な状態から実質的に不透明な状態、及び、逆に、選択的に切替わるように構築される。この切替ウィンドウ２０は、視認面１２０に対向する受容面１１０を保持し、これら面１１０、１２０が互いに対向するようにこの切替ウィンドウ２０を構築するが、他の構成も考えられることにより、これら面１１０、１２０は、互いに関連して任意の所望の角度又は位置で指向する。更に、これら対向面１１０、１２０は、任意の所望の形、規模又は輪郭を受けるような寸法である。この切替ウィンドウ２０は、高分子分散型液晶（ＰＤＬＣ）で形成したウィンドウを含むか、又は懸濁粒子装置（ＳＰＤ）として構成されてもよい。しかしながら、不透明な状態又は実質的に不透明な状態から透過的な状態又は実質的に透過的な状態に切替を制御される任意の他の装置と同様に、この切替ウィンドウ２０がエレクトロクロミック装置を含み得るとも考えられる。
【００１４】
電源１３０は、この制御装置１００に接続し、このシステム１０の構成要素に電力を与えるように構築される。この電源１３０は、電池などの携帯Ｄ．Ｃ．（直流）電源を含み得る、又は１２０ＶＡＣ（交流）などのＡ．Ｃ．（交流）主電源から電力を受け取り、このシステム１０を動作する互換可能な形式に変換するように構築される。この電源１３０は、太陽光電源又は光起電力電源又は任意の他の電源を含み得るとも考えられる。電源１３０は、携帯電力と太陽光及び／又は主電力又は任意の他の適切な電源の組合せを含み得ることも理解すべきだろう。更に、この電源１３０は、このシステム１０に単に電力を与え、又は、他の実施形態では、このシステム１０を統合する構造の他の態様と同様に、このシステム１０に電力を与える。例えば、このシステム１０は、流体を分注するように構築されるハンドフリーディスペンサと統合され、この電源１３０によりこれら両方に電力が供給される。更に、この切替ウィンドウ２０の低減電力仕様により、電池又は他の携帯電源を使用すると、このシステム１０の拡張作動が可能になる。
【００１５】
このしるしホルダ４０は、この受容面１１０に隣接して保持され、この切替ウィンドウ２０と光学的に整合してこのしるし６０を取外し可能に保持するように構築される。その結果、この切替ウィンドウ２０が透過的な状態又は実質的に透過的な状態なら、これは、この視認面１２０を経て観測者５０に選択的に可視化される。このしるしホルダ４０がこの受容面１１０に隣接するとして考察されているが、当然のことながら、このしるしホルダ４０は、これがそこで光通信する限り、この受容面１１０に対して任意の所望の位置に指向される。例えば、このしるしホルダ４０は、この受容面１１０から遠隔配置され、一方、このしるし６０からの画像は、ミラー又は任意の適切な手段を経てこの受容面１１０にルーティングされる。
【００１６】
続いて、このしるしホルダ４０は、このしるし６０を定位置に保持、支持、担持、又は別の様態で維持することが可能な任意の適切な装置でを含んでもよく、一方、他の実施形態では、依然としてこのしるし６０の除去及び置換を可能にする。従って、このしるしホルダ４０は、ユーザがこのしるし６０から提供される内容を直ぐにカスタマイズ及び／又は更新するようにこのシステム１０を保持させる。しかし、ある実施形態では、このしるし６０を永久にこのしるしホルダ４０内にマウント又は配置すると予測される。
【００１７】
一態様では、このシステム１０は、スロットなどのこの筐体７０内のアクセスポート１６０により構築され、例えば、個人がこのしるし６０に直接にアクセスする。その結果、これを除去又は所望のものと置換できる。アクセスポート１６０を経た、このしるしホルダ４０へのアクセスは、鎖錠装置１７０を経て認可された個人のみに制限されるとも考えられる。この鎖錠装置１７０は、人が適切な認可無しにしるしを除去及び／又はこのしるしホルダ４０に挿入することを防止する鎖錠扉又は任意の他の適切な装置を含み得る。
【００１８】
このしるし６０は、この切替ウィンドウ２０のこの受容面１１０と光通信してしるしホルダ４０により定位置に保持又は配置許可にする任意の適切な材料を含み得る。一態様では、このしるし６０は、任意の他の情報内容と同様に、広告、標識及び／又はテキスト／図形内容を含み得る。例えば、このしるし６０は、紙又は段ボール部分又はこのしるしホルダ４０で受容し、保持する寸法の任意の他の適切な材料上に配列される。例えば、石鹸ディスペンサの材料と共にこのシステム１０を使用すると、このしるし６０は、ユーザの手の洗浄を助成する情報を提供する。
【００１９】
ある実施形態では、このしるし６０は、任意の適切な照明源により照明されるとも考えられる。例えば、このしるし６０は、この切替ウィンドウ２０と光を作動可能に交信するように構築される光源１８０により照明される。従って、光源１８０から放出される光は、ライトパイプ、光ファイバ又は他の適切な光ルーティング手段を経てこの切替ウィンドウ２０の１つ以上の端部に指向される。このウィンドウ２０の端部にこの光を供給することで、この光は、この切替ウィンドウ２０を介して担持され、このしるし６０を照明する。このような作動は、このしるし６０にこの観測者５０の注意を更に惹きつけることに供する。この光源１８０は、この制御装置１００に接続した光センサ１８２により検出されると、このシステム１０を囲む周辺光内の変更に基づき起動されるとも考えられる。代替方法として、このシステム１０は、図１Ａに示すようにこの光源１８０無しに構築され、一方、この観測者５０は、このシステム１０を囲む環境周辺光を使用してこのしるし６０を未だ視認することができる。
【００２０】
不透明状態と透過的状態との間でのこの切替ウィンドウ２０の切替は、この制御装置１００に接続したアクチュエータ２００により制御される。このアクチュエータ２００は、作動時に、又は別の様態で適切な刺激もしくは他の適切な入力を受けると、この制御装置１００がこの切替ウィンドウ２０を作動して、実質的に不透明な状態から実質的に透過的な状態に切替わり、この観測者５０へのこのしるし６０の表示を可能にする近接センサなどのボタン、スイッチ又は他の装置を備え得る。例えば、このアクチュエータ２００が１人又は複数人の存在又は非存在を検出可能な近接センサを含む場合、この制御装置１００は、個人がこのアクチュエータ２００と近接した時に不透明から透過的にこのウィンドウ２０の状態を変更することを開始し、また、同様に、個人がこのアクチュエータ２００ともはや近接していないと、透過的から不透明に状態を変更することを開始する。
【００２１】
別の態様では、このシステム１０は、この切替ウィンドウ２０が透過的な状態又は実質的に透過的な状態に切替わると、この制御装置１００により維持されるタイマを起動するように構築される。５秒の期限切れなどの既定の時間量後に、この制御装置１００は、不透明な状態又は実質的に不透明な状態にこの切替ウィンドウ２０を切替える。その結果、この観測者５０の視野からこのしるし６０を遮断する、又は覆い隠す。更に、当然のことながら、不透明な状態と透過的な状態との間でこの切替ウィンドウ２０の切替を制御する他の体系又はプロトコルが、このシステム１０で利用され得、こうして、本明細書で開示されるものらは、制限と解釈されるべきではない。
【００２２】
例えば、このシステム１０又はこのシステム１０の作動を制御するハンドフリー分注システムなどの他のシステムは、透過的な状態又は実質的に透過的な状態にこの切替ウィンドウ２０を配置して、ユーザが石鹸の分注で自身の手の洗浄を開始する時に、このしるし６０を表示することにより構築される。この石鹸が分注されると、このシステム１０又はこれに関連する他のシステムは、人の手の充分な洗浄で同時に起こる、伝染病予防本部（ＣＤＣ）により設定した時限などの充分な量の期限切れ時を特定する。この時限切れで、この切替ウィンドウ２０は、不透明な状態に切替わって、ユーザの手からこの石鹸を洗い落とす時間であることを表示する。一態様では、このような時間設定された処理と関連するこのしるし６０は、情報内容を表示して、時間設定された処理を実装することをこの個人に警報する。
【００２３】
こうして、このシステム１０の一般的な構成要素を明らかにすると、続く考察は、以前に考察した作動特徴を使用する特定の実施形態に導かれる。
【００２４】
故に、この筐体７０がディスペンサ３００を含むこのシステム１０の実施形態は、図２、３Ａ〜Ｃに示す。このディスペンサ３００は、例えば、このアクチュエータ２００の作動で、ポンプなどの分注ユニット３１０を励起して、動作可能な連通で保持される再補充ユニット又はコンテナ３２０で保持される石鹸などの多量の材料又は分注品目を分注するように、石鹸などの液体を分注するように構築される。このアクチュエータ２００の作動と同時に、この切替ウィンドウ２０は、図３Ａに示す実質的に不透明な状態から図３Ｃに示す透過的な状態に切替わって、既定の期間又はこのアクチュエータ２００がこのアクチュエータ２００の近接から離れる個人の移動などのいくつかの他の状況変更を検出するまでこのしるし６０を表示する。当然のことながら、図３Ｂに示すように、このしるしホルダ４０は、このしるし６０を留める隆起３３０を含み得る。更に、このディスペンサ３００は、液体ディスペンサとして提示されるが、当然のことながら、任意の所望の材料を分注するようにいつでも適合する。
【００２５】
代替の実施形態では、このシステム１０を保持するこの筐体７０は、図４に示すようにタオルディスペンサ３５０を含み得る。このタオルディスペンサ３５０は、このアクチュエータ２００の作動でタオルを個人に提供するように構築される分注スロット３５２を保持する。こうして、この切替ウィンドウ２０は、このアクチュエータ２００の起動時に、実質的に不透明な状態から実質的に透過的な状態に切替わるように構築される。更に、このタオルディスペンサ３５０は、これを開けて、このしるしホルダ４０とここに配列されるしるし６０にアクセスして、このしるし６０を更新又は所望のものと置き換え、又はこのアクセスポート１６０を経てこのしるし６０にアクセス可能な扉３６０を持つ。更に、この扉３６０が施錠装置で構築されるため、このしるし４０へのアクセスが制限される。又は、代替方法として、このしるし６０は、以前に考察したように、このアクセスポート１６０を経てしるしホルダ４０から挿入又は除去される。
【００２６】
もう１つの実施形態では、このシステム１０は、図５に示すように、このアクチュエータ２００を保持するこの筐体７０を独立のユニット３８０として形成するように構築される。一態様では、この独立のユニット３８０は、自動便器又は小便器４００、又は他の装置の作動時に使用される電源と作動可能にインターフェイスするように構築される。例えば、このシステム１０は、自動便器又は小便器４００で保持されるフラッシュアクチュエータ４１２に供給される電源、及びこのシステム１０で保持される制御装置１００との間で給電線４０１を接続するように構築される。従って、このシステム１０は、電池又は他の携帯電源１３０を必要とせずに、自動便器又は小便器４００に電力を供給するための電力により直接励起される。しかし、当然のことながら、この独立のユニット３８０は、電池又は任意の他の適切な電源などの携帯電源により電力供給され、こうして、任意の所望の位置にこのユニット３８０を配置できる。更に、この独立のユニット３８０の筐体７０は、装着部分４０４に接続される旋回扉４０２を含む。この旋回扉４０２を選択的に開いて、このしるし６０自身と同様にこのしるしホルダ４０にアクセスできる。こうして、このしるし６０を更新する場合、この扉４０２を直ぐに開いて、しるし６０の変更を可能にする。この装着部分４０４は、任意の所望の面又は構造が、例えば、ネジ又は接着材のような適切な留め具を使用すると、システム１０の装着を促進する。更に、この旋回扉４０２は、アクセスポート１６０を提供し、こうして、この筐体７０内での新しいしるしの除去と挿入を促進する。
【００２７】
別の実施形態では、図６に示すように、このシステム１０は、このシステム１０を保持する筐体７０が噴霧器５００を含むように構築される。一態様では、この噴霧器５００は、エアロゾル化材料を空中に分注して、分注ポート５１０を経て芳しく清らかな香気を提供するように構築される。従って、この切替ウィンドウ２０は、個人がこの噴霧器５００の近接範囲内に居ることをこのアクチュエータ２００で検出すると、実質的に不透明な状態から実質的に透過的な状態に切替わるように構築される。この噴霧器５００は、また、旋回扉５２０を介して又はここに配列したアクセスポート１６０を経てこのしるし６０にアクセスするように構築される。
【００２８】
更に、このシステム１０は、この筐体７０から切り離してアクチュエータ２００を保持し、この独立のユニット３８０の制御装置１００に遠隔配線するように構築される。例えば、このアクチュエータ２００は、任意の適切な固定治具、構造又は面内にこの近接センサ２００を保持するが、図７に示すように蛇口などの固定治具６００内に遠隔保持される近接センサを含み得る。こうして、個人がこの固定治具６００の近接範囲内に来ると、この切替ウィンドウ２０が実質的に透過的な状態に切替えられて、このしるし６０を表示する。このような構成により、この切替ウィンドウ２０を一区域に配置でき、一方、この切替ウィンドウ２０の制御に使用される起動アクションが別の区域内のアクチュエータ２００で検知される。別の態様では、このシステム１０は、既存の装置により保持される近接センサなどの既存の検出センサに改良部品を組み込むように構築される。例えば、ハンドフリー蛇口などのハンドフリー装置の場合に、この近接センサ２００が既にここに組み込まれている。従って、人の手の検出によりこの切替ウィンドウ２０の作動を開始又は起動したいユーザは、任意の適切な通信インターフェイスを使用して、蛇口又は他の固定治具６００で保持される近接センサ２００にこの制御装置１００を結合する。
【００２９】
別の態様では、当然のことながら、このシステム１０は、図面の図８に示すようにタイマを含めるようにこの制御装置１００をプログラム化するように構築され得る。従って、この制御装置１００は、任意の他の適切な時間間隔を使用することができるけれども、例えば、１秒などの既定の時間間隔を記憶するようにプログラム化されてもよい。従って、この制御装置１００は、この時間間隔に等しい時間量の間、この切替ウィンドウ２０を実質的に又は少なくとも部分的に不透明な状態にするように構築される。この時間間隔の期限切れで、この切替ウィンドウは、この時間間隔に等しい時間量の間、実質的に又は少なくとも部分的に透過的な状態に配置され、こうして、このしるし６０を選択的に可視化する。すなわち、この切替ウィンドウは、この時間間隔の期限切れ後、その第１の状態（実質的に又は少なくとも部分的に不透明な状態）からその第２の状態（実質的に又は少なくとも部分的に透過的な状態）に、またこの逆に周期的に連続的にトグルする、又は切替わるように構築される。結果として、このしるし６０を周期的に表示し、遮蔽して、このユーザと他者の注意を惹きつける。更に、このようなシーケンスは、連続的に繰返される、又は既定のイベントの発生又は既定の時間量の期限切れ後に終結される。また、当然のことながら、このシステム１０は、異なる又は不同の期間の時間間隔で実質的に又は少なくとも部分的に、不透明な状態、又は実質的に又は少なくとも部分的に透過的な状態の一方に、この切替ウィンドウ２０を配置するように構築される。
【００３０】
また、当然のことながら、制御装置１００に接続した電源１３０は、適切な量の電力を発生して、このシステム１０を動作させる太陽光電池又は光電池を含み得る。充電式電池は、日照時間中に再充電する太陽光電池又は光電池に接続されるとも考えられる。従って、この太陽エネルギを利用できない夜間時間中に、このシステム１０は、この充電式電池により電力を供給される。
【００３１】
一態様では、このシステム１０から提供される筐体７０は、例えばクリップなどの、ユーザに携帯又は取外し可能に接続される携帯ディスペンサ筐体を含み得る。従って、この携帯ディスペンサ筐体７０は、石鹸、清浄薬、モイスチャー化粧品等などの任意の適切な材料で充填される再補充ユニット又は容器３２０を含む。この分注ユニット３１０は、再補充ユニット又は容器３２０から材料を分注する適切なポンプを含む手動作動又は自動形式の分注システムを含み得る。例えば、手動で作動される分注ユニット３１０は、押し下げ又は別の様態で作動されると、材料をユーザに分注するドーム型ポンプなどの任意の適切なポンプを作動する手動押しボタン又はアクチュエータを含むことができる。こうして、このシステム１０は、図８に示すように、この制御装置１００のタイマ機能により制御して、しるし６０の周期的表示を供給しながら材料を分注する便利な携帯システムを提供し、こうして、他者と同様にこのユーザの注意を惹きつけることに供用する。
【００３２】
更に、当然のことながら、この分注ユニット３１０は、この制御装置１００に接続され、この分注ユニット３１０の作動と関連する種々の衛生準拠データを収集し、監視する。従って、この切替ウィンドウ２０は、この衛生準拠データがこの制御装置１００でプログラム化される１つ以上の既定の判定基準に適合すると、その第１の状態（実質的に、又は少なくとも部分的に、不透明な状態）からその第２の状態（実質的に、又は少なくとも部分的に、透過的な状態）にまたこの逆に切替わる。例えば、この切替ウィンドウ２０は、既定の数の分注イベントがこの分注ユニット３１０で発生した後に第１の状態から第２の状態に切替わる。当然のことながら、この切替ウィンドウ２０は、任意の所望のシーケンスで任意の適切な間隔又は期間で、その第１の状態と第２の状態との間で切替わる。
【００３３】
また、当然のことながら、このシステム１０は、この制御装置１００がこのディスペンサ３００、３５０、３８０、５００、分注ユニット３１０又はこの制御装置１００で設定した既定の判定基準に適合する固定治具６００の作動と関連する１つ以上の動作状態データ状況を検出すると、この切替ウィンドウ２０がその第１の状態（実質的に、又は少なくとも部分的に、不透明な状態）からその第２の状態（実質的に、又は少なくとも部分的に、透過的な状態）に及び逆にトグルする又は切替わるように構築される。当然のことながら、この切替ウィンドウ２０は、任意の適切な間隔又は期間で、任意の所望のシーケンスで、その第１の状態と第２の状態との間で切替わる。例えば、このような動作状態データは、これに限定されないが、再補充ユニット３２０が低又は空、この電源１３０の電池電力が低い、このディスペンサのサービスが必要など、を表示する情報を含む。例えば、この切替ウィンドウ２０は、この分注ユニット３１０が作動不能であることを検出すると、ある状態から別のものに切替わる。
【００３４】
故に、当然のことながら、本発明の１つ以上の実施形態の一利点は、しるしを選択的に可視化するシステムが実質的に不透明な状態から実質的に透過的な状態に切替わって、ここを通してしるしを表示する切替ウィンドウを提供することである。本発明のもう１つの利点は、しるしを選択的に可視化するシステムが作動時にアクチュエータを提供し、その結果、この切替ウィンドウが実質的に不透明な状態から実質的に透過的な状態に切替わることである。本発明の付加的利点は、しるしを選択的に可視化するシステムがしるしを取外し可能に保持して、切替ウィンドウを介して観測者に表示するしるしホルダを提供することである。
【００３５】
ある実施形態に関連して本発明をかなり詳細に記述したが、他の実施形態が可能である。故に、添付された特許請求の範囲の趣旨及び範囲は、ここに含まれる実施形態の記述に限定されるべきでない。
【図１】
2015522182.tif 000003
【図１Ａ】
2015522182.tif 000004
【図２】
2015522182.tif 000005
【図３Ａ】
2015522182.tif 000006
【図３Ｂ】
2015522182.tif 000007
【図３Ｃ】
2015522182.tif 000008
【図４】
2015522182.tif 000009
【図５】
2015522182.tif 000010
【図６】
2015522182.tif 000011
【図７】
2015522182.tif 000012
【図８】
2015522182.tif 000013
【国際調査報告】
2015522182.tif 000014
2015522182.tif 000015